(57)【要約】【課題】  観察者の状況に応じて適正な表示装置の表示ムラを補正を行うことができる画像補正処理装置及びその制御方法、プログラムを提供する。【解決手段】  表示画面を複数の分割領域に分割した場合の複数の分割領域それぞれに表示される表示画像の輝度特性を補正するための補正値を出力する第１出力部を備える。表示画面の表示画像の輝度特性を補正するための補正値を出力する第２出力部を備える。表示画面と観察者との関係を示す観察環境情報を入力する。入力された観察環境情報に基づいて、第１出力部及び第２出力部の少なくとも一方を選択する。選択した出力部から出力される補正値に基づいて補正した表示画像を出力する。【選択図】  図１
2009267966.tif 000002
【特許請求の範囲】
【請求項１】
表示装置の表示画面に表示する表示画像の表示ムラを補正する画像補正処理装置であって、
前記表示画面を複数の分割領域に分割した場合の前記複数の分割領域それぞれに表示される表示画像の輝度特性を補正するための補正値を出力する第１出力手段と、
前記表示画面の表示画像の輝度特性を補正するための補正値を出力する第２出力手段と、
前記表示画面と観察者との関係を示す観察環境情報を入力する観察環境情報入力手段と、
前記観察環境情報入力手段によって入力された観察環境情報に基づいて、前記第１出力手段及び前記第２出力手段の少なくとも一方を選択する選択手段と、
前記選択手段で選択した出力手段から出力される補正値に基づいて補正した前記表示画像を出力する表示画像出力手段と
を備えることを特徴とする画像補正処理装置。
【請求項２】
前記第１出力手段は、前記複数の分割領域それぞれに表示される表示画像を、対応するそれぞれの分割領域に対して垂直方向から観察した場合のそれぞれの表示画像の輝度特性を補正する第１補正手段を含み、
前記第２出力手段は、前記表示画面の表示画像を、その表示画像の中央を基準にして観察した場合の表示画像の輝度特性を補正する第２補正手段を含む
ことを特徴とする請求項１に記載の画像補正処理装置。
【請求項３】
前記第１出力手段が出力する補正値による補正用の表示画像の輝度特性を測定する第１測定装置、及び前記第２出力手段が出力する補正値による補正用の表示画像の輝度特性を測定する第２測定装置それぞれの測定結果を入力する入力手段を更に備え、
前記選択手段で選択した出力手段が前記第１出力手段である場合、前記第１出力手段は、前記入力手段で入力された第１測定装置の測定結果に基づいて、前記複数の分割領域それぞれに表示される表示画像の輝度特性を補正するための補正値を算出して、出力し、
前記選択手段で選択した出力手段が前記第２出力手段である場合、前記第２出力手段は、前記入力手段で入力された第２測定装置の測定結果に基づいて、前記表示画面の表示画像の輝度特性を補正するための補正値を算出して、出力する
ことを特徴とする請求項１に記載の画像補正処理装置。
【請求項４】
前記第１出力手段が出力する補正値を記憶する第１記憶手段と、
前記第２出力手段が出力する補正値を記憶する第２記憶手段とを更に備え、
前記選択手段で選択した出力手段が前記第１出力手段である場合、前記第１出力手段は、前記第１記憶手段に記憶される補正値を出力し、
前記選択手段で選択した出力手段が前記第２出力手段である場合、前記第２出力手段は、前記第２記憶手段に記憶される補正値を出力する
ことを特徴とする請求項１に記載の画像補正処理装置。
【請求項５】
前記観察環境情報入力手段は、前記表示画面と前記観察者との関係を示す観察環境情報として、前記表示画面から前記観察者の距離が一定距離より近いか遠いかを示す情報を入力する
ことを特徴とする請求項１に記載の画像補正処理装置。
【請求項６】
前記観察環境情報入力手段は、前記表示画面と前記観察者との関係を示す観察環境情報として、前記表示画面に対する前記観察者の数を示す情報を入力する
ことを特徴とする請求項１に記載の画像補正処理装置。
【請求項７】
前記観察環境情報入力手段は、前記表示画面と前記観察者との関係を示す観察環境情報として、前記表示画面と前記観察者との間の距離を示す距離情報を入力する
ことを特徴とする請求項１に記載の画像補正処理装置。
【請求項８】
前記観察環境情報入力手段が前記観察環境情報として入力する前記表示画面と前記観察者との間の距離を示す距離情報に基づいて、前記選択手段が前記第１出力手段及び前記第２出力手段を選択した場合、それぞれの出力手段から出力される補正値を前記距離情報に基づく合成比に従って合成する合成手段を更に備え、
前記表示画像出力手段は、前記合成手段で合成した補正値に基づいて補正した前記表示画像を出力する
ことを特徴とする請求項１に記載の画像補正処理装置。
【請求項９】
表示装置の表示画面に表示する表示画像の表示ムラを補正する画像補正処理装置の制御方法であって、
前記表示画面を複数の分割領域に分割した場合の前記複数の分割領域それぞれに表示される表示画像の輝度特性を補正するための補正値を出力する第１出力工程と、
前記表示画面の表示画像の輝度特性を補正するための補正値を出力する第２出力工程と、
前記表示画面と観察者との関係を示す観察環境情報を入力する観察環境情報入力工程と、
前記観察環境情報入力工程によって入力された観察環境情報に基づいて、前記第１出力工程及び前記第２出力工程の少なくとも一方を選択する選択工程と、
前記選択工程で選択した出力工程から出力される補正値に基づいて補正した前記表示画像を出力する表示画像出力工程と
を備えることを特徴とする画像補正処理装置の制御方法。
【請求項１０】
表示装置の表示画面に表示する表示画像の表示ムラを補正する画像補正処理装置の制御をコンピュータに実行させるためのプログラムであって、
前記表示画面を複数の分割領域に分割した場合の前記複数の分割領域それぞれに表示される表示画像の輝度特性を補正するための補正値を出力する第１出力工程と、
前記表示画面の表示画像の輝度特性を補正するための補正値を出力する第２出力工程と、
前記表示画面と観察者との関係を示す観察環境情報を入力する観察環境情報入力工程と、
前記観察環境情報入力工程によって入力された観察環境情報に基づいて、前記第１出力工程及び前記第２出力工程の少なくとも一方を選択する選択工程と、
前記選択工程で選択した出力工程から出力される補正値に基づいて補正した前記表示画像を出力する表示画像出力工程と
をコンピュータに実行させることを特徴とするプログラム。
【発明の詳細な説明】
【技術分野】
【０００１】
本発明は、表示装置の表示画面に表示する表示画像の表示ムラを補正する画像補正処理装置及びその制御方法、プログラムに関するものである。
【背景技術】
【０００２】
近年、表示装置の大画面化が進み、１００インチを超えるような大型の表示装置が開発されている。これらの表示装置は、液晶で直接表示したり、投影したりする方法や、プラズマ方式を用いている。このような表示装置では、各表示素子の精度のばらつきや、その装置の特性から画像の表示ムラが生じている。特に、投影方式の表示装置では、その光学的な特性から中心に比べて周辺の光量が低下したり、液晶ではその原理から視野角によって輝度が下がったりして表示ムラを起こすといった問題が生じている。
【０００３】
従来、画像の表示ムラの補正については、均一な画像を表示して、これを外部から撮影して、得られる撮像画像から部分画像間の差分（輝度差）を表示ムラとして検出し、その差分に基づいて表示画像の補正を行っている（例えば、特許文献１参照）。
【０００４】
この画像の補正技術においては、表示装置の表示画像を分割し、分割領域毎に表示ムラを補正する補正データを複数個のテーブルに格納しておいて、アドレスの上位ビットを選択信号としてテーブルを選択して、補正をルックアップテーブルで行い出力する。即ち、複数画素からなるブロック単位で補正値を算出して、画像の輝度補正を行っている。この補正値の生成については、特許文献１の図８に記載されているように、画面の中央に測定装置を設置して、補正値を算出している。
【特許文献１】特開平３−１８８２２号公報
【発明の開示】
【発明が解決しようとする課題】
【０００５】
しかしながら、従来の補正値の算出方法と算出において、特許文献１の図８に記載されているように、画面の中央での測定結果を補正に用いている。即ち、観察者が表示ムラを測定する測定装置の位置にいることを前提にして補正を行っている。近年では、表示装置の大画面化が進んでいるため、この方法は、視野角の影響も含む補正値の算出を行っていることになる。従って、観察者が測定装置と同じ位置で見る条件で画像の表示が最適となるように補正値の算出が行われることになるため、観察者が複数になると、その補正値による適正な補正条件下での画像を観察できる人が限定されてしまうといった問題が生じる。また、表示装置から観察者の距離によって視野角の影響が変わってくるが、この補正値は画像全体に対して一律に補正されるため、適正な補正条件で観察できる位置が限定されてしまうという問題も生じている。
【０００６】
本発明は上記の課題を解決するためになされたものであり、観察者の状況に応じて適正な表示装置の表示ムラを補正を行うことができる画像補正処理装置及びその制御方法、プログラムを提供することを目的とする。
【課題を解決するための手段】
【０００７】
上記の目的を達成するための本発明による画像補正処理装置は以下の構成を備える。即ち、
表示装置の表示画面に表示する表示画像の表示ムラを補正する画像補正処理装置であって、
前記表示画面を複数の分割領域に分割した場合の前記複数の分割領域それぞれに表示される表示画像の輝度特性を補正するための補正値を出力する第１出力手段と、
前記表示画面の表示画像の輝度特性を補正するための補正値を出力する第２出力手段と、
前記表示画面と観察者との関係を示す観察環境情報を入力する観察環境情報入力手段と、
前記観察環境情報入力手段によって入力された観察環境情報に基づいて、前記第１出力手段及び前記第２出力手段の少なくとも一方を選択する選択手段と、
前記選択手段で選択した出力手段から出力される補正値に基づいて補正した前記表示画像を出力する表示画像出力手段と
を備える。
【０００８】
また、好ましくは、前記第１出力手段は、前記複数の分割領域それぞれに表示される表示画像を、対応するそれぞれの分割領域に対して垂直方向から観察した場合のそれぞれの表示画像の輝度特性を補正する第１補正手段を含み、
前記第２出力手段は、前記表示画面の表示画像を、その表示画像の中央を基準にして観察した場合の表示画像の輝度特性を補正する第２補正手段を含む。
【０００９】
また、好ましくは、前記第１出力手段が出力する補正値による補正用の表示画像の輝度特性を測定する第１測定装置、及び前記第２出力手段が出力する補正値による補正用の表示画像の輝度特性を測定する第２測定装置それぞれの測定結果を入力する入力手段を更に備え、
前記選択手段で選択した出力手段が前記第１出力手段である場合、前記第１出力手段は、前記入力手段で入力された第１測定装置の測定結果に基づいて、前記複数の分割領域それぞれに表示される表示画像の輝度特性を補正するための補正値を算出して、出力し、
前記選択手段で選択した出力手段が前記第２出力手段である場合、前記第２出力手段は、前記入力手段で入力された第２測定装置の測定結果に基づいて、前記表示画面の表示画像の輝度特性を補正するための補正値を算出して、出力する。
【００１０】
また、好ましくは、前記第１出力手段が出力する補正値を記憶する第１記憶手段と、
前記第２出力手段が出力する補正値を記憶する第２記憶手段とを更に備え、
前記選択手段で選択した出力手段が前記第１出力手段である場合、前記第１出力手段は、前記第１記憶手段に記憶される補正値を出力し、
前記選択手段で選択した出力手段が前記第２出力手段である場合、前記第２出力手段は、前記第２記憶手段に記憶される補正値を出力する。
【００１１】
また、好ましくは、前記観察環境情報入力手段は、前記表示画面と前記観察者との関係を示す観察環境情報として、前記表示画面から前記観察者の距離が一定距離より近いか遠いかを示す情報を入力する。
【００１２】
また、好ましくは、前記観察環境情報入力手段は、前記表示画面と前記観察者との関係を示す観察環境情報として、前記表示画面に対する前記観察者の数を示す情報を入力する。
【００１３】
また、好ましくは、前記観察環境情報入力手段は、前記表示画面と前記観察者との関係を示す観察環境情報として、前記表示画面と前記観察者との間の距離を示す距離情報を入力する。
【００１４】
また、好ましくは、前記観察環境情報入力手段が前記観察環境情報として入力する前記表示画面と前記観察者との間の距離を示す距離情報に基づいて、前記選択手段が前記第１出力手段及び前記第２出力手段を選択した場合、それぞれの出力手段から出力される補正値を前記距離情報に基づく合成比に従って合成する合成手段を更に備え、
前記表示画像出力手段は、前記合成手段で合成した補正値に基づいて補正した前記表示画像を出力する。
【００１５】
上記の目的を達成するための本発明による画像補正処理装置の制御方法は以下の構成を備える。即ち、
表示装置の表示画面に表示する表示画像の表示ムラを補正する画像補正処理装置の制御方法であって、
前記表示画面を複数の分割領域に分割した場合の前記複数の分割領域それぞれに表示される表示画像の輝度特性を補正するための補正値を出力する第１出力工程と、
前記表示画面の表示画像の輝度特性を補正するための補正値を出力する第２出力工程と、
前記表示画面と観察者との関係を示す観察環境情報を入力する観察環境情報入力工程と、
前記観察環境情報入力工程によって入力された観察環境情報に基づいて、前記第１出力工程及び前記第２出力工程の少なくとも一方を選択する選択工程と、
前記選択工程で選択した出力工程から出力される補正値に基づいて補正した前記表示画像を出力する表示画像出力工程と
を備える。
【００１６】
上記の目的を達成するための本発明によるプログラムは以下の構成を備える。即ち、
表示装置の表示画面に表示する表示画像の表示ムラを補正する画像補正処理装置の制御をコンピュータに実行させるためのプログラムであって、
前記表示画面を複数の分割領域に分割した場合の前記複数の分割領域それぞれに表示される表示画像の輝度特性を補正するための補正値を出力する第１出力工程と、
前記表示画面の表示画像の輝度特性を補正するための補正値を出力する第２出力工程と、
前記表示画面と観察者との関係を示す観察環境情報を入力する観察環境情報入力工程と、
前記観察環境情報入力工程によって入力された観察環境情報に基づいて、前記第１出力工程及び前記第２出力工程の少なくとも一方を選択する選択工程と、
前記選択工程で選択した出力工程から出力される補正値に基づいて補正した前記表示画像を出力する表示画像出力工程と
をコンピュータに実行させる。
【発明の効果】
【００１７】
本発明によれば、観察者の状況に応じて適正な表示装置の表示ムラを補正を行うことができる画像補正処理装置及びその制御方法、プログラムを提供できる。
【発明を実施するための最良の形態】
【００１８】
以下、本発明の実施の形態について図面を用いて詳細に説明する。
【００１９】
＜実施形態１＞
実施形態１の表示装置を構成する画像補正処理装置の構成について、図１を参照して説明する。
【００２０】
図１は本発明の実施形態１の画像補正処理装置の構成を示すブロック図である。
【００２１】
尚、表示装置を構成する表示パネルは、液晶、プラズマ、ＳＥＤ等で構成して実現してもかまわない。また、実施形態１では、表示装置の表示ムラの補正として、輝度ムラ（輝度特性）の補正を行う場合を例にとって説明する。また、補正の精度を８ビットを例にとって説明するが、これに限定されない。
【００２２】
図１において、１は画像補正処理装置である。２は画像データを１フレーム分格納するフレームメモリである。３は観察者の状況を入力するスイッチであり、例えば、画像補正処理装置１の筐体の前面にスイッチとして機能するボタンを構成して、このボタンを介して観察者の状況を入力することを実現しても構わない。
【００２３】
ここでは、入力する状況として、観察者と表示装置との距離を入力する。操作を簡単にするために、距離を「近」、「遠」の選択とするが、これに限定されない。この場合、「近」は、画面の中央を基準にして補正値（輝度補正値）を算出する時の測定装置と表示装置との距離にほぼ等しい（あるいはその距離から一定距離範囲内）と考える。一方、「遠」は、その距離よりも遠く離れている場合に選択されるものとする。
【００２４】
４及び７はセレクタであり、スイッチ３の出力に応じて入出力を切り替える。５は表示装置に対して、後述する垂直方向で第１測定装置（垂直補正用測定装置）によって測定した補正値で画像データを補正する垂直補正器（第１補正部）である。
【００２５】
６は表示装置に対して、後述する中央で第２測定装置（中央補正用測定装置）によって測定した補正値で画像データを補正する中央補正器（第２補正部）である。
【００２６】
８は補正された画像データを表示する信号に変換するためのディスプレイドライバである。９はディスプレイドライバからの信号を表示するディスプレイパネルである。１０は外部から垂直補正器５及び中央補正器６に補正値を読み込むための端子である。この端子１０の先には、例えば、補正値を出力する外部装置（補正値算出装置）が接続可能である。
【００２７】
尚、図１では示していないが、画像補正処理装置１には、上記の構成要素に加えて、汎用コンピュータに搭載される各種構成要素を有している。ここで、汎用コンピュータに搭載される各種構成要素としては、装置全体を制御するためのＣＰＵ、制御を実現するためのプログラムやデータ等を記憶するＲＯＭ、データの作業領域として機能するＲＡＭ等がある。
【００２８】
上記構成において、画像データの補正処理の動作について説明する。動作の説明に先立って、垂直補正器５と中央補正器６における補正値の算出方法について説明する。
【００２９】
図２は本発明の実施形態１の垂直補正器で使用する補正値を算出するための測定装置の構成を示す図である。
【００３０】
図２において、１０００は測定の対象となる表示装置である。１００１ａ〜１００１Ｄは測定装置群であり、例えば、表示装置１０００の表示画像の輝度を測定する輝度計等で構成される。ここでは、縦方向に５段、横方向に６個の構成としているが、これに限定されない。各測定装置は表示装置１０００の画面上を等分に分割した分割領域それぞれに対して測定する。例えば、表示装置１０００が、ハイビジョン（水平画素数１９２０、垂直ライン数１０８０）を表示する表示装置であれば、１つの測定装置の測定範囲は、３２０画素×２１６画素となる。
【００３１】
１００２は補正値を算出する補正値算出装置であり、汎用コンピュータ等で構成することができる。１００３は表示装置１０００と同期やデータの送受信を行うためのデータ線である。１００４は各測定装置１００１ａ〜１００１Ｄと同期やデータの送受信を行うためのデータ線である。
【００３２】
次に、測定装置１００１ａ〜１００１Ｄによる測定動作について、図３を参照して説明する。
【００３３】
図３は本発明の実施形態１の垂直補正用の測定装置の測定動作を示すフローチャートである。
【００３４】
尚、補正値算出装置１００２は、上述のように汎用コンピュータ等で構成され、これには、ＣＰＵ、メモリ（ＲＡＭ、ＲＯＭ）等の汎用コンピュータが備える各種構成要素を有している。
【００３５】
図３において、ステップＳ０１にて、補正値算出装置１００２は、測定装置１００１ａ〜１００１Ｄの初期化を行う。また、表示輝度値Ｌを０（黒）とし、補正値を格納するメモリ（不図示）上の領域Ｐ［Ａ，Ｂ，ｑ］を０にリセットする。ここで、Ａは水平方向の補正単位を表し、０から５の値をとり得る。Ｂは垂直方向の補正単位を表し、０から４の値をとり得る。即ち、左上がＡ＝０、Ｂ＝０とし、右下がＡ＝５、Ｂ＝４となるように画面が等分割され、測定装置１００１ａ〜１００１Ｄのそれぞれの位置に対応している。また、測定の輝度幅をｎとしたとき、ｑは０〜（２５６／ｎ−１）の値をとり得る。
【００３６】
ステップＳ０２にて、補正値算出装置１００２は、表示輝度値Ｌが最高輝度値２５５を超えているか否かを判定する。超えていない場合（ステップＳ０２でＮＯ）、ステップＳ０３に進む。一方、超えている場合（ステップＳ０２でＹＥＳ）、ステップＳ０６に進む。
【００３７】
ステップＳ０３にて、補正値算出装置１００２は、データ線１００３を介して表示装置１０００に表示輝度値Ｌに従う画像を全面に表示する。
【００３８】
ステップＳ０４にて、補正値算出装置１００２は、データ線１００４を介して測定装置１００１ａ〜１００１Ｄから測定値Ｒ［Ａ，Ｂ］（Ａ＝０〜５、Ｂ＝０〜４）を読み込み、領域Ｐ［Ａ，Ｂ，Ｌ］に格納する。これは、各測定装置１００１ａ〜１００１Ｄの測定範囲の平均輝度値に相当する。
【００３９】
ステップＳ０５にて、補正値算出装置１００２は、表示輝度値Ｌに輝度幅ｎを加算する（Ｌ＝Ｌ＋ｎ）。その後、ステップＳ０２に戻る。
【００４０】
ステップＳ０２にて、補正値算出装置１００２は、表示輝度値Ｌが最高輝度値を超えていると判定した場合（ステップＳ０２でＹＥＳ）、即ち、全ての階調において測定値を算出していると判定した場合、ステップＳ０６に進む。
【００４１】
ステップＳ０６にて、補正値算出装置１００２は、領域Ｐに格納されている各測定値を入力輝度値において、最高輝度値を表示したときの測定値の最大値ＲＭＡＸを決定する。これから各測定範囲の輝度値Ｌに対する測定値Ｒ［Ａ，Ｂ，Ｌ］に対して、次式で各補正値Ｃ［Ａ，Ｂ，Ｌ］を、（１）式に従って算出する。
【００４２】
Ｃ［Ａ，Ｂ，Ｌ］＝（Ｒ［Ａ，Ｂ，Ｌ］／ＲＭＡＸ）×（２５５／Ｌ）・・・（１）
この補正値Ｃ［Ａ，Ｂ，Ｌ］は最高輝度値を基にして、各輝度値の補正後の輝度値を算出し、入力に補正量を乗算することで補正を行うものである。この補正値Ｃ［Ａ，Ｂ，Ｌ］は、端子１０を介して、表示装置１０００の画像補正処理装置１に入力される。このようにして、画像補正処理装置１に入力された補正値Ｃ［Ａ，Ｂ，Ｌ］は、垂直補正器５に格納される。
【００４３】
次に、中央補正器６で使用する補正値を算出するための測定装置の構成について、図４を参照して説明する。
【００４４】
図４は本発明の実施形態１の中央補正器で使用する補正値を算出するための測定装置の構成を示す図である。
【００４５】
図４において、図２と同様の機能を果たす構成要素に関しては、同一の番号を付与し、その説明を省略する。１００５は測定装置であり、輝度計等で構成され、表示装置１０００の表示画面全体の表示画像の輝度値を測定する。ここでは説明を容易にするため、その分解能を水平方向に４８０点、垂直方向に２７０点とする。但し、これに限定されない。
【００４６】
次に、測定装置１００５による測定動作について、図５を参照して説明する。
【００４７】
図５は本発明の実施形態１の中央補正用の測定装置の測定動作を示すフローチャートである。
【００４８】
図５において、ステップＳ２１にて、補正値算出装置１００２は、測定装置１００５の初期化を行う。また、表示輝度値Ｌを０（黒）とし、補正値を格納するメモリ上の領域ｐ［Ａ，Ｂ，ｑ］を０にリセットする。ここで、Ａは水平方向の補正単位を表し、０から５をとり得る。Ｂは垂直方向の補正単位を表し、０から４の値をとり得る。即ち、左上がＡ＝０、Ｂ＝０とし、右下がＡ＝５、Ｂ＝４となるように画面が等分割されている。また、測定の輝度幅をｎとしたとき、ｑは０〜（２５６／ｎ−１）の値をとり得る。
【００４９】
ステップＳ２２にて、補正値算出装置１００２は、表示輝度値Ｌが最高輝度値２５５を超えているか否かを判定する。超えている場合（ステップＳ２２でＹＥＳ）、ステップＳ２７に進む。一方、超えていない場合（ステップＳ２２でＮＯ）、ステップＳ２３に進む。
【００５０】
ステップＳ２３にて、補正値算出装置１００２は、データ線１００３を介して表示装置１０００に表示輝度値Ｌに従う画像を全面に表示する。
【００５１】
ステップＳ２４にて、補正値算出装置１００２は、データ線１００４を介して測定装置１００５から測定値ｒ［ｘ，ｙ］（ｘ＝０〜４７９、ｙ＝０〜２６９）を読み込む。ここで、ｘ、ｙは測定点の配列の座標を表し、左上を原点（０，０）とする。
【００５２】
ステップＳ２５にて、補正値算出装置１００２は、測定値ｒ［ｘ，ｙ］から各補正単位に該当する平均値を（２）式に従って算出し、平均値ｐ［Ａ，Ｂ，ｑ］（Ａ＝０〜５、Ｂ＝０〜４、ｑ＝Ｌ／ｎ）に格納する。
【００５３】
ｐ［Ａ，Ｂ，Ｌ］＝（A×80-1ΣX=A×80B×54-1ΣY=Y×54Ｒ［Ｘ，Ｙ］）／α  ・・・（２）
但し、α＝（４８０／６）×（２７０／５）
ステップＳ２６にて、補正値算出装置１００２は、表示輝度値Ｌに輝度幅ｎを加算する（Ｌ＝Ｌ＋ｎ）。その後、ステップＳ２２に戻る。
【００５４】
ステップＳ２２にて、補正値算出装置１００２は、表示輝度値Ｌが最高輝度値を超えていると判定した場合（ステップＳ２２でＹＥＳ）、即ち、全ての階調において差分値を算出したと判断した場合、ステップＳ２７に進む。
【００５５】
ステップＳ２７にて、補正値算出装置１００２は、領域ｐ［Ａ，Ｂ，Ｌ］に格納されている各測定値を入力輝度値において、最高輝度値ＬＭＡＸを表示したときの各補正単位ｐ［Ａ，Ｂ，（ＬＭＡＸ／ｎ−１）］での最大値ｒＭＡＸを算出する。これから各補正単位の輝度値Ｌに対する領域ｐ［Ａ，Ｂ，ｑ］に対して、（３）式で各補正値ｃ［Ａ，Ｂ，ｑ］を算出する。
【００５６】
ｃ［Ａ，Ｂ，ｑ］＝（ｒ［Ａ，Ｂ，ｑ］／ｒＭＡＸ）×（２５５／Ｌ）・・・（３）
この補正値ｃ［Ａ，Ｂ，ｑ］は、端子１０を介して、表示装置１０００の画像補正処理装置１に入力される。このようにして、画像補正処理装置１に入力された補正値ｃ［Ａ，Ｂ，ｑ］は、中央補正器６に格納される。
【００５７】
続いて、各入力に対する補正の動作について説明する。
【００５８】
観察者はスイッチ３を操作する。画像データは、フレーム単位で画像補正処理装置１に入力され、フレームメモリ２に格納される。スイッチ３が「近」に選択されている場合は、セレクタ４の出力先及びセレクタ７の入力先に中央補正器６が選択される。また、「遠」に選択されている場合は、セレクタ４の出力先及びセレクタ７の入力先に垂直補正器５が選択される。それぞれの補正器での補正動作について以下に説明する。
【００５９】
垂直補正器５において、入力された画像データの画素値Ｇ（ｘ，ｙ）(ｘ，ｙは画素位置)に対して、（４）式に従って補正後の画素値Ｈ（ｘ，ｙ）を算出し、出力する。
【００６０】
Ｈ（ｘ，ｙ）＝（Ｃ［（ｘ／３２０），（ｙ／２１６），（Ｇ（ｘ，ｙ）//ｎ）］×β＋Ｃ［（ｘ／３２０），（ｙ／２１６），（Ｇ（ｘ，ｙ）//ｎ＋１）］×γ）×Ｇ（ｘ，ｙ）  ・・・（４）
但し、β＝（Ｇ（ｘ，ｙ）―（Ｇ（ｘ，ｙ）//ｎ）×ｎ）／ｎ
γ＝（（（Ｇ（ｘ，ｙ）＋１）//ｎ）×ｎ―Ｇ（ｘ，ｙ））／ｎ
//は、余りを切り捨てる除算を表す演算子
（４）式では、入力された画像データの画素値Ｇ（ｘ，ｙ）に対して、各輝度での補正値を線形補間で算出し、その補正値を掛けて補正を行う。各画素に対する補正結果は、セレクタ７を介してディスプレイドライバ８に出力され、ディスプレイパネル９で表示される。
【００６１】
一方、中央補正器６において、入力された画像データの画素値Ｇ（ｘ，ｙ）(ｘ，ｙは画素位置)に対して、（５）式に従って補正後の画素値Ｈを算出し、出力する。
【００６２】
Ｈ（ｘ，ｙ）＝ｃ［（ｘ／３２０），（ｙ／２１６），（Ｇ（ｘ，ｙ）//ｎ）］×β＋Ｃ［（ｘ／３２０），（ｙ／２１６），（Ｇ（ｘ，ｙ）//ｎ＋１）］×γ  ・・・（５）
但し、β＝（Ｇ（ｘ，ｙ）―（Ｇ（ｘ，ｙ）//ｎ）×ｎ）／ｎ
γ＝（（（Ｇ（ｘ，ｙ）＋１）//ｎ）×ｎ―Ｇ（ｘ，ｙ））／ｎ
//は、余りを切り捨てる除算を表す演算子
各画素に対する補正結果は、セレクタ７を介してディスプレイドライバ８に出力され、ディスプレイパネル９で表示される。
【００６３】
以上説明したように、実施形態１によれば、上述の一連の選択動作により、観察者の距離や観察位置に応じて、表示画像を補正するための補正値を切り替え、観察者の状態に最適な補正値による表示画像の補正を行うことができる。
【００６４】
即ち、観察者が表示装置に「近い」場合は、観察者は、画面の中央付近に位置して画面の中央と端部を違う距離で観察することになり、中央補正を行うことで面内ムラと視野角による輝度ムラの両方を補正した好適な画像を観察することになる。
【００６５】
一方、観察者が表示装置に「遠い」場合は、観察者は画面全体を平均的に観察することになり、垂直補正を行うことで面内ムラによる輝度ムラを補正した好適な画像を観察することになる。
【００６６】
尚、実施形態１では、複数の測定装置を用いているが、これに限定されず、１台の測定装置を表示装置に平行に移動させて順次測定する構成にしても構わない。
【００６７】
また、測定装置として輝度計を用いているが、これに限定されず、測色計等の他の測定装置を用いることで色ムラの補正を行えることは当然である。また、測定装置の測定範囲を画面を同じ大きさに等分割して測定したが、これに限定されず、中央と周辺部で分割する領域の大きさを変えたり、お互いの測定範囲にオーバーラップを生じさせてもかまわない。
【００６８】
また、説明を容易にするために、輝度の精度を８ビットとしているが、これに限定されない。また、画面の分割数を水平方向に６つ、垂直方向に５つとしているが、これに限定されず、例えば、表示装置の画素毎に補正値を算出してももちろん構わない。
【００６９】
また、スイッチ３は、画像補正処理装置１の筐体に備えるのではなく、リモコン等の指示装置に搭載されていてももちろん構わない。
【００７０】
＜実施形態２＞
次に、実施形態２の表示装置を構成する画像補正処理装置の構成について、図６を参照して説明する。
【００７１】
図６は本発明の実施形態２の画像補正処理装置の構成を示すブロック図である。
【００７２】
尚、図６において、図１と同様の機能を果たす構成要素に関しては、同一の番号を付与し、その説明を省略する。
【００７３】
１００は画像補正処理装置である。１０１は観察者の状況を入力するスイッチであり、例えば、画像補正処理装置１００の筐体の前面にスイッチとして機能するボタンを構成して、このボタンを介して観察者の状況を入力することを実現しても構わない。
【００７４】
ここでは、入力する状況として、観察者の人数等の状況を入力する。例えば、一定数より少ない少人数で鑑賞する場合をシアターモードとし、リビングで家族等の一定数より多い大人数で鑑賞する場合をリビングモードとする。但し、これに限定されない。この場合、「シアターモード」は観察者が画面の中央に位置すると考える。一方、「リビングモード」は複数の人間が画面の全体の前に位置すると考える。例えば、会議室で使用する場合もこれに該当する。
【００７５】
１０２は垂直補正に用いる補正値を記憶しておく垂直補正値メモリ（第１記憶部）である。１０３は中央補正に用いる補正値を記憶しておく垂直補正値メモリ（第２記憶部）である。１０４は表示装置に対してそれぞれの補正値をスイッチ１０１の入力で切り替えて選択する補正値選択器である。１０５は選択された補正値で画像データを補正する補正器である。
【００７６】
上記構成において、画像データの補正処理の動作について説明する。動作の説明に先立って、垂直補正のための補正値と中央補正のための補正値を算出する。この算出方法は、例えば、実施形態１の図２及び図４の測定装置による測定結果に基づいて算出する。
【００７７】
垂直補正のための補正値は、図２の測定装置によって算出され、データ線１００３を介して表示装置１０００の画像補正処理装置１００に入力される。そして、端子１０を介して入力された垂直補正のための補正値Ｅ［Ａ，Ｂ，Ｌ］の値を垂直補正値メモリ１０２に格納する。補正値Ｅ［Ａ，Ｂ，Ｌ］は、実施形態１の測定値Ｒ［Ａ，Ｂ，Ｌ］、最大輝度値ＲＭＡＸ、補正する輝度値Ｌから
Ｅ［Ａ，Ｂ，Ｌ］＝ＲＭＡＸ×（２５５／Ｌ）―Ｒ［Ａ，Ｂ，Ｌ］・・・（６）
として算出する。即ち、補正値は補正後の輝度値との差分値となる。
【００７８】
中央補正のための補正値は、図４の測定装置によって算出され、データ線１００３を介して表示装置１０００の画像補正処理装置１００に入力される。そして、端子１０を介して入力された中央補正のための補正値ｅ［Ａ，Ｂ，Ｌ］の値を中央補正値メモリ１０３に格納する。補正値ｅ［Ａ，Ｂ，Ｌ］は、実施形態１の測定値Ｒ［Ａ，Ｂ，Ｌ］、最大輝度値ＲＭＡＸ、補正する輝度値Ｌから
ｅ［Ａ，Ｂ，Ｌ］＝ｒＭＡＸ×（２５５／Ｌ）―ｒ［Ａ，Ｂ，Ｌ］・・・（７）
として算出する。即ち、補正値は補正後の輝度値との差分値となる。
【００７９】
補正値選択器１０４は、スイッチ１０１が「リビングモード」を選択している場合は、垂直補正値メモリ１０２から補正値Ｅ［Ａ，Ｂ，Ｌ］を補正器１０５に入力する。また、「シアターモード」を選択している場合は、中央補正値メモリ１０３から補正値ｅ［Ａ，Ｂ，Ｌ］を補正器１０５に入力する。補正器１０５は、これらの補正値をＦ［Ａ，Ｂ，Ｌ］とすると、入力された画像データの画素値Ｇ（ｘ，ｙ）(ｘ，ｙは画素位置)、補正後の画素値Ｈ（ｘ，ｙ）とすると
Ｈ（ｘ，ｙ）＝（Ｆ［（ｘ／３２０），（ｙ／２１６），（Ｇ（ｘ，ｙ）//ｎ）］×β＋Ｃ［（ｘ／３２０），（ｙ／２１６），（Ｇ（ｘ，ｙ）//ｎ＋１）］×γ）＋Ｇ（ｘ，ｙ）  ・・・（８）
但し、β＝（Ｇ（ｘ，ｙ）―（Ｇ（ｘ，ｙ）//ｎ）×ｎ）／ｎ
γ＝（（（Ｇ（ｘ，ｙ）＋１）//ｎ）×ｎ―Ｇ（ｘ，ｙ））／ｎ
//は、余りを切り捨てる除算を表す演算子
という演算を行う。即ち、補正値を線形補間で算出して、これを画像データの画素値に加算して補正を行う。
【００８０】
以上説明したように、実施形態２によれば、上述の一連の選択動作により、観察者の人数に応じて、表示画像を補正するための補正値を切り替え、観察者の状態に最適な補正値による表示画像の補正を行うことができる。
【００８１】
即ち、観察者が少数（シアターモード）の場合は、観察者は画面の中央付近に位置して画面の中央と端部を違う距離で観察することになり、中央補正を行うことで面内ムラと視野角による輝度ムラの両方を補正した好適な画像を観察することになる。
【００８２】
一方、観察者が多数（リビングモード）の場合は、各観察者は画面全体を平均的に観察することになり、垂直補正を行うことで面内ムラによる輝度ムラを補正した好適な画像を観察することになる。
【００８３】
また、スイッチ３は、画像補正処理装置１００の筐体に備えるのではなく、リモコン等の指示装置に搭載されていてももちろん構わない。
【００８４】
＜実施形態３＞
次に、実施形態３の表示装置を構成する画像補正処理装置の構成について、図７を参照して説明する。
【００８５】
図７は本発明の実施形態３の画像補正処理装置の構成を示すブロック図である。
【００８６】
図７において、図１と同様の機能を果たす構成要素に関しては、同一の番号を付与し、その説明を省略する。
【００８７】
２００は画像補正処理装置である。２０１は距離情報送信装置２０６を用いて、観察者との距離に関する状況を受信する受信部である。２０２は垂直補正に用いる補正値Ｃ［Ａ，Ｂ，Ｌ］を記憶しておく垂直補正値メモリである。２０３は中央補正に用いる補正値ｃ［Ａ，Ｂ，Ｌ］を記憶しておく垂直補正値メモリである。
【００８８】
２０４は補正値合成器である。この補正値合成器２０４は、表示装置に対してそれぞれの補正値を受信部２０１で受信した距離情報に従って、補正値Ｃ［Ａ，Ｂ，Ｌ］と補正値ｃ［Ａ，Ｂ，Ｌ］を合成して新たな補正値Ｋ［Ａ，Ｂ，Ｌ］を算出する。２０５は算出された補正値Ｋ［Ａ，Ｂ，Ｌ］で画像データを補正する補正器である。
【００８９】
２０６は距離情報を送信するための距離情報送信装置であり、リモコン等で構成される。２０８は距離を観察者が入力する距離入力部である。２０７は入力された距離情報を送信する送信部である。送信部２０７から送信された距離情報は、画像補正処理装置２００の受信部２０１で受信される。
【００９０】
ここで、距離情報送信装置２０６の具体的な構成について、図８を参照して説明する。
【００９１】
図８は本発明の実施形態３の距離情報送信装置の具体的な外観を示す図である。
【００９２】
距離情報送信装置２０６には操作部２５１、表示部２５２があり、赤外線等の無線媒体で本体と通信する窓２５３がある。観察者は表示部２５２で表示を見ながら、操作部２５１で表示装置との距離を入力する。つまり、この操作部２５１が、図７の距離入力部２０８に対応する。
【００９３】
上記構成において、画像データの補正処理の動作について説明する。動作の説明に先立って、垂直補正のための補正値と中央補正のための補正値を算出する。この算出方法は、実施形態１の図２及び図４の測定装置による測定結果に基づいて算出する。
【００９４】
垂直補正のための補正値は、図２の測定装置によって算出され、データ線１００３を介して表示装置１０００の画像補正処理装置２００に入力される。そして、端子１０を介して入力された垂直補正のための補正値Ｃ［Ａ，Ｂ，Ｌ］の値を垂直補正値メモリ２０２に格納する。
【００９５】
中央補正のための補正値は、図４の測定装置によって算出され、データ線１００３を介して表示装置１０００の画像補正処理装置２００に入力される。そして、端子１０を介して入力された中央補正のための補正値ｃ［Ａ，Ｂ，Ｌ］の値を中央補正値メモリ２０３に格納する。
【００９６】
補正値合成器２０４は、受信した距離情報Ｍ、及び中央補正のための補正値を算出するために用いる測定装置１００５と表示装置１０００との距離Ｎ、及び所定の距離Ｑに基づいて、補正値Ｃ［Ａ，Ｂ，Ｌ］と補正値ｃ［Ａ，Ｂ，Ｌ］補正値を合成する。但し、条件によっては、これらの補正値を合成するのではなく、実施形態２のように、いずれか一方を選択するようにしても良い。
【００９７】
尚、所定の距離Ｑは、例えば、画面全体を眼球を動かすことなく捉えられる距離とする。また、補正値の合成比をδとする。合成比δは、０以上１以下の値をとるものとする。合成比δは入力された距離Ｍが距離Ｎ以下であれば常に０とする。また、距離Ｍが距離Ｑ以上であれば、常に１とする。距離Ｍが距離Ｎ以上、距離Ｑ以下である場合、合成比δは（９）式で算出する。
【００９８】
δ＝（Ｍ−Ｎ）／（Ｑ−Ｎ）  …（９）
この合成比δを用いて、（１０）式に従って、補正値Ｃ［Ａ，Ｂ，Ｌ］、補正値ｃ［Ａ，Ｂ，Ｌ］から補正器２０５で使用する補正値Ｔ［Ａ，Ｂ，Ｌ］を算出する。
【００９９】
Ｔ［Ａ，Ｂ，Ｌ］＝δ×Ｃ［Ａ，Ｂ，Ｌ］＋（１−δ）×ｃ［Ａ，Ｂ，Ｌ］…（１０）
補正器２０５は、この補正値Ｔ［Ａ，Ｂ，Ｌ］から、入力された画像データの画素値Ｇ（ｘ，ｙ）(ｘ，ｙは画素位置)、補正後の画素値Ｈ（ｘ，ｙ）とすると
Ｈ（ｘ，ｙ）＝（Ｔ［（ｘ／３２０），（ｙ／２１６），（Ｇ（ｘ，ｙ）//ｎ）］×β＋Ｔ［（ｘ／３２０），（ｙ／２１６），（Ｇ（ｘ，ｙ）//ｎ＋１）］×γ）×Ｇ（ｘ，ｙ）  ・・・（１１）
但し、β＝（Ｇ（ｘ，ｙ）―（Ｇ（ｘ，ｙ）//ｎ）×ｎ）／ｎ
γ＝（（（Ｇ（ｘ，ｙ）＋１）//ｎ）×ｎ―Ｇ（ｘ，ｙ））／ｎ
//は、余りを切り捨てる除算を表す演算子
という演算を行う。即ち、補正値を線形補間で算出して、これを画像データの画素値に加算して補正を行う。
【０１００】
以上説明したように、実施形態３によれば、上述の一連の選択動作により、観察者と表示装置の距離に応じて、表示画像を補正するための補正値を適応的に変化させ、観察者の状態に最適な補正値による表示画像の補正を行うことができる。
【０１０１】
即ち、観察者と表示装置の距離が一定距離より近い場合は、観察者は視野角による影響を強く受けた輝度ムラを補正する。
【０１０２】
一方、観察者と表示装置の距離が一定距離より遠い場合は、視野角による影響が少ない面内ムラによる輝度ムラを補正した好適な画像を観察することになる。
【０１０３】
尚、実施形態３では、観察者が距離を手動で入力するように構成したが、これに限定されない。例えば、図８の距離情報送信装置２０６の窓２５４から表示装置１０００との距離を測定するために、超音波等の信号を発信・受信して、その計測結果を距離情報として入力するように、図７の距離入力部２０８を構成しても良い。また、表示装置１０００自体に距離情報送信装置２０６から発信される信号の強度に応じて距離を測定する機構を設けてもかまわない。
【０１０４】
＜実施形態４＞
実施形態１〜３は一例であり、用途や目的に応じて、実施形態１〜３の構成を任意に組み合わせて画像補正処理装置を実現しても良いことは言うまでもない。
【０１０５】
尚、実施形態１のスイッチ３、実施形態２の１０１及び実施形態３の距離情報送信装置２０６は、より概念的かつ包括的に捉えれば、これらは、表示画面と観察者との関係を示す観察環境情報を入力するための観察環境情報入力部として機能すると言える。
【０１０６】
つまり、実施形態１のスイッチ３は、表示画面と観察者の関係を示す観察環境情報として、表示画面と観察者の距離を入力する観察環境入力部として機能する。
【０１０７】
また、実施形態２のスイッチ１０１は、表示画面と観察者の関係を示す観察環境情報として、表示画面前の観察者の数を入力する観察環境入力部として機能する。
【０１０８】
更に、実施形態３の距離情報送信装置２０６は、表示画面と観察者の関係を示す観察環境情報として、表示画面と観察者のより詳細な距離を入力する観察環境入力部として機能する。
【０１０９】
また、概念的には、実施形態１の垂直補正器５及び中央補正器６、実施形態２の垂直補正値メモリ１０２及び中央補正値メモリ１０３、実施形態３の垂直補正値メモリ２０２及び中央補正値メモリ２０３は、補正値を出力する第１出力部及び第２出力部と言える。
【０１１０】
また、概念的には、実施形態１の垂直補正器５及び中央補正器６、実施形態２の補正器１０５、実施形態３の補正器２０５は、補正値に基づいて補正した表示画像を出力する表示画像出力部とも言える。
【０１１１】
以上、実施形態例を詳述したが、本発明は、例えば、システム、装置、方法、プログラムもしくは記憶媒体等としての実施態様をとることが可能である。具体的には、複数の機器から構成されるシステムに適用しても良いし、また、一つの機器からなる装置に適用しても良い。
【０１１２】
尚、本発明は、前述した実施形態の機能を実現するソフトウェアのプログラム（実施形態では図に示すフローチャートに対応したプログラム）を、システムあるいは装置に直接あるいは遠隔から供給する。そして、そのシステムあるいは装置のコンピュータが該供給されたプログラムコードを読み出して実行することによっても達成される場合を含む。
【０１１３】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【０１１４】
その場合、プログラムの機能を有していれば、オブジェクトコード、インタプリタにより実行されるプログラム、ＯＳに供給するスクリプトデータ等の形態であっても良い。
【０１１５】
プログラムを供給するための記録媒体としては、例えば、フロッピー（登録商標）ディスク、ハードディスク、光ディスクがある。また、更に、記録媒体としては、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【０１１６】
その他、プログラムの供給方法としては、クライアントコンピュータのブラウザを用いてインターネットのホームページに接続する。そして、その接続先のホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【０１１７】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【０１１８】
また、コンピュータが、読み出したプログラムを実行することによって、前述した実施形態の機能が実現される。また、そのプログラムの指示に基づき、コンピュータ上で稼動しているＯＳなどが、実際の処理の一部または全部を行ない、その処理によっても前述した実施形態の機能が実現され得る。
【０１１９】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部または全部を行ない、その処理によっても前述した実施形態の機能が実現される。
【図面の簡単な説明】
【０１２０】
【図１】本発明の実施形態１の画像補正処理装置の構成を示すブロック図である。
【図２】本発明の実施形態１の垂直補正器で使用する補正値を算出するための測定装置の構成を示す図である。
【図３】本発明の実施形態１の垂直補正用の測定装置の測定動作を示すフローチャートである。
【図４】本発明の実施形態１の中央補正器で使用する補正値を算出するための測定装置の構成を示す図である。
【図５】本発明の実施形態１の中央補正用の測定装置の測定動作を示すフローチャートである。
【図６】本発明の実施形態２の画像補正処理装置の構成を示すブロック図である。
【図７】本発明の実施形態３の画像補正処理装置の構成を示すブロック図である。
【図８】本発明の実施形態３の距離情報送信装置の具体的な外観を示す図である。
【符号の説明】
【０１２１】
１、１００、２００  画像補正処理装置
２  フレームメモリ
３、１０１  スイッチ
４、７  セレクタ
５  垂直補正器
６  中央補正器
８  ディスプレイドライバ
９  ディスプレイパネル
１０  端子
１０２、２０２  垂直補正値メモリ
１０３、２０３  中央補正値メモリ
１０４  補正値選択器
１０５、２０５  補正器
２０１  受信部
２０４  補正値合成器
２０６  距離情報送信装置
２０７  送信部
２０８  距離入力部
２５１  操作部
２５２  表示部
２５３、２５４  窓
１０００  表示装置
１００１ａ〜１００１Ｄ、１００５  測定装置
１００２  補正値算出装置
１００３、１００４  データ線
【図１】
2009267966.tif 000003
【図２】
2009267966.tif 000004
【図３】
2009267966.tif 000005
【図４】
2009267966.tif 000006
【図５】
2009267966.tif 000007
【図６】
2009267966.tif 000008
【図７】
2009267966.tif 000009
【図８】
2009267966.tif 000010